(57)【要約】【課題】カード型情報記録媒体の情報読み出しを行なう情報記録部を簡単な構成で、かつカード型情報記録媒体の利便性を損なうことなく保護して、カード型情報記録媒体利便性をより向上させる。【解決手段】カード型情報記録媒体２とこのカード型情報記録媒体２の外形状に対応した形状のカード３とからなり、カード３は、カード型情報記録媒体２の少なくとも情報記録部４の形状に対応した形状であって情報記録部４に剥離可能に貼着する貼着手段７を備えて、この貼着手段７を介してカード３をカード型情報記録媒体２に分離可能に重ね合わせた。【選択図】    図１
2005056576.tif 000002
【特許請求の範囲】
【請求項１】
カード型情報記録媒体と前記カード型情報記録媒体の外形状に対応した形状を有してこのカード型情報記録媒体の情報読み出し面側の片面に重ね合わされたカードとからなり、
前記カードは、カード型情報記録媒体の少なくとも情報記録部の形状に対応した形状であって情報記録部に剥離可能に貼着する貼着手段を備え、該貼着手段を介して前記カードがカード型情報記録媒体に分離可能に重ね合わされていることを特徴とするカード付カード型情報記録媒体。
【請求項２】
上記貼着手段は、上記カードのカード型情報記録媒体に面する対向面全面に設けられている請求項１に記載のカード付カード型情報記録媒体。
【請求項３】
上記貼着手段におけるカード型情報記録媒体側の表面凹凸形状が、カード型情報記録媒体における情報読み出し面側の表面凹凸形状に合致している請求項１又は２に記載のカード付カード型情報記録媒体。
【請求項４】
上記カードには、カード型情報記録媒体のドライブ孔に係脱可能に嵌まる凸部が設けられている請求項１から３のいずれか一項に記載のカード付カード型情報記録媒体。
【発明の詳細な説明】
【技術分野】
【０００１】
本発明はカード付カード型情報記録媒体に関するものである。
【背景技術】
【０００２】
近年、記録容量の大きさや安価で大量生産にも適しているなどの理由から、ＣＤ−ＲＯＭやＤＶＤ−ＲＯＭなどのようにドーナツ状とした情報記録部の中央にドライブ孔を有し、そのドライブ孔を中心にした高速回転の下で光学的に情報を記録したり記録情報を読み出したりできるようにした円盤状の情報記録媒体が広く利用され、この情報記録媒体に対応したドライブ装置を標準装備するパソコンも広く普及してきている。そして、このような現状から、前記ドライブ装置を利用した情報読み出し方式に合致する情報記録媒体であれば、身近なパソコンで情報の表示が簡単に行なえることになり、このため、カード型ＣＤ−ＲＯＭなどのように形状をカード型とした情報記録媒体として利用され始めている。
【０００３】
上記カード型情報記録媒体は通常のドーナツ形状のものと比較すれば情報の記録容量が小さいものの、会社案内や商品紹介などの情報を文字情報、静止画情報、動画情報などとして記録できるため、紙に印刷してなるパンフレットやカタログなどと比較すれば格段に多量の情報を提供できる記録媒体であって、前述の会社案内や商品紹介などの情報を提供する場合に有利であり、取り扱いも簡単で携帯もし易いものである。
さらに、カード型情報記録媒体の大きさにおいて、名刺サイズであるならば名刺用として、またトレーディングカードサイズならばトレーディングカード用として提供されている収納ケース、収納袋、各種カード用の文房具用品や事務用品などがそのまま使用可能となる。
【発明の開示】
【発明が解決しようとする課題】
【０００４】
しかしながら、カード型情報記録媒体が小型であってその取り扱いが容易であることから、逆に電子情報記録媒体を取り扱う場合の注意が払われ難くなり、情報読み出し面側で表出している情報記録部が汚損されたり傷付いたりするという問題が発生し、適正な情報の読み出しが行なえないという不都合が発生している。勿論、情報記録部を保護するために専用のハードケースを用いることも考えられるが、このハードケースにカード型情報記録媒体を収納してしまうと、取り扱いが容易であるという点や既存の収納ケースや収納袋などが利用できるという利点を大きく損なうことから、ハードケースを用いていないのが現状である。
そこで、本発明は上記事情に鑑み、カード型ＣＤ−ＲＯＭなどのカード型の情報記録媒体の情報読み出しを行なう情報記録部を簡単な構成で、かつカード型情報記録媒体の利便性を損なうことなく保護することを課題として、カード型情報記録媒体の使い勝手をより向上させることを目的とするものである。
【課題を解決するための手段】
【０００５】
本発明は上記課題を考慮してなされたもので、カード型情報記録媒体と前記カード型情報記録媒体の外形状に対応した形状を有してこのカード型情報記録媒体の情報読み出し面側の片面に重ね合わされたカードとからなり、前記カードは、カード型情報記録媒体の少なくとも情報記録部の形状に対応した形状であって情報記録部に剥離可能に貼着する貼着手段を備え、該貼着手段を介して前記カードがカード型情報記録媒体に分離可能に重ね合わされていることを特徴とするカード付カード型情報記録媒体を提供して、上記課題を解消するものである。
そして、本発明において、上記貼着手段は、上記カードのカード型情報記録媒体に面する対向面全面に設けられているものとすることが可能であり、また、上記貼着手段におけるカード型情報記録媒体側の表面凹凸形状が、カード型情報記録媒体における情報読み出し面側の表面凹凸形状に合致しているものとすることが可能である。
さらに本発明において、上記カードには、カード型情報記録媒体のドライブ孔に係脱可能に嵌まる凸部が設けられているものとすることが可能である。
【発明の効果】
【０００６】
以上説明した本発明により、カード型情報記録媒体の情報記録部をカードにて簡単に保護することができ、よって手持ちしたりする場合などに際して情報記録部に振れないようにするなどの注意を払う必要がなくなって、カード型情報記録媒体の取り扱いが簡単にすることができる。
また、カード型情報記録媒体側の条件に規制されることなく各種の手法を用いてカードに模様や情報などを設けることができ、カード型情報記録媒体の装飾性を高めて商品性を向上させるようになるとともに、カード自体の交換によって外観を変化させ易くなるなど、実用性に優れた効果を奏するものである。
【発明を実施するための最良の形態】
【０００７】
つぎに本発明を図１から図７に示す実施の形態に基づいて詳細に説明する。
図中１はカード付カード型情報記録媒体で、このカード付カード型情報記録媒体１は図示されているようにカード型情報記録媒体２とこのカード型情報記録媒体２の外周の形状に同一としたカード３とが重ね合わされているものである。前記カード型情報記録媒体２自体は例えば通常のカード型ＣＤ−ＲＯＭなどであって、片面を情報読み出し面側とし、情報記録部４を有して中央にドライブ孔５が設けられている。また、カード３は紙製であり、カード型情報記録媒体２のドライブ孔５を覆うように孔の無い一枚のほぼ平滑な形状を呈しているものである。
【０００８】
図示されているように上記カード３におけるカード型情報記録媒体２に対する対向面６には、上記情報記録部４の形状と同じにしてこの情報記録部４に対応する貼着手段７が位置している。この貼着手段７はカード型情報記録媒体２を構成している樹脂材に対して劣化などの影響を及ぼすことのない材料から選択された弱粘着物質からなるものであり、例えば弱粘着性を備えているシリコン素材からなり、情報記録部４に対して剥離可能に貼着している。このように、前記貼着手段７を情報記録部４の情報読み出し面側に貼り付けるようにすることで、図２に示されているようにカード型情報記録媒体２とカード３とが剥離可能に重ね合わされている。
【０００９】
上述のようにカード型情報記録媒体２の情報読み出し面側にカード３が重ね合わされていることから、このカード付カード型情報記録媒体１を持ったり携帯したりした際に他の物品などが情報記録部４側にぶつかったり擦れたりすることがあっても、カード３で情報記録部４が保護され、そして、分離する際にも情報記録部４を損傷させることなくカード３とカード型情報記録媒体２とを容易に分けることができる。
また、一旦、分離されたカード３をカード型情報記録媒体２の情報読み出し面側に重ね合わせるに際しても、カード３とカード型情報記録媒体２との外周の形状が同じであることから両者の辺部相互を位置合わせしながら重ね合わせるようにすることで、貼着手段７が情報記録部４に対応することとなり、貼着手段７を簡単に情報記録部４に貼り付けることができる。
【００１０】
上記実施の例では貼着手段７を情報記録部４のみに対応するものとしたが、図３に示すように貼着手段７を対向面６の全面に設けるようにしてもよい。
また、カード型情報記録媒体２の情報読み出し面側では、ドライブ装置による情報読取時に適正な回転状態が得られるようにするなどの理由によってドライブ孔５の周辺や情報記録部４の境界部分などに凸部、凹部、段差などを同心状態にして設けていて、情報読み出し面側の表面は凹凸のある形状となっている。そこで、図４に示すようにカード３の対向面６の全面に貼着手段７を設けるとともに、この貼着手段７におけるカード型情報記録媒体２側の面を、カード型情報記録媒体２における情報読み出し面側の表面凹凸形状に合致している表面凹凸形状を有するものとしてもよい。このようにすることによってカード型情報記録媒体２に対するカード３の貼り付け状態がより一層安定するようになる。
上記貼着手段７を得る場合には、予め、カード型情報記録媒体の情報読み出し面側の形状と同一にしてドライブ孔に対応する部分を平坦にした型に貼着手段の形成素材を流し込むなどして硬化させ、後にカード側に転移するように型抜きすればよい。
【００１１】
さらに図５に示す例にあっては、カード３の対向面６におけるドライブ孔５の対応位置にそのドライプ孔５に入り込んでそのカード型情報記録媒体２の情報読み出し面とは反対側の化粧面８とほぼ面一となる化粧円板９を配し、その他の領域に貼着手段７を施しているものである。
上記化粧円板９には、前記化粧面８の色合いや模様などに連続する装飾が施されていて、カード付カード型情報記録媒体１をカード型情報記録媒体２側から見た場合に前記ドライブ孔５の存在が強調されず、よって、カード型情報記録媒体２の外観が整えられるようにしているものである。
【００１２】
上述したようにカード３は紙製のものであり、対向面６とは反対側の面１０、即ち、カード型情報記録媒体２に重ね合わせた状態で表出する面は、模様ばかりでなく各種の情報を印字や印刷などにより設けた情報表示面として利用することができる。よって、カード型情報記録媒体２に対して重ね合わせるカード３を交換することで、表示する情報などを容易に変更させることができるようになる。勿論、カード３の対向面６に模様や各種情報を設けることも可能である。
なお、上記貼着手段７はシリコン素材から得られるものとして説明したが、具体的な一例として、シリコンゴムなどに対して、ジメチルポリシロキサン、メチルビニルポリシロキサンなどの有機けい素化合物、シリカなどの充填剤や分散剤などを添加して得られたコンパウンドに有機過酸化物などの加硫剤を添加したものを塗布形成などして得られる。
【００１３】
上記カード付カード型情報記録媒体１ではカード型情報記録媒体２の情報読み出し面側にカード３を重ね合わせて上記情報記録部４が保護されていることから、カード付カード型情報記録媒体１を取り扱うに際して情報記録部４が汚れたり傷付けられることがなく、取り扱いが容易になる。
また、カード型情報記録媒体２およびカード３の外周の形状は、一般的に使用されている名刺やトレーディングカードなどと同じであり、上記実施の例にあっては例えばトレーディングカードのサイズに合わせて形成されているものである。そのため、トレーディングカード用として既に存在する収納ケースなどを利用することができ、カード付カード型情報記録媒体１の保管、管理が簡単になる。図６は一枚のトレーディングカードを収めるための一辺開放型のソフトケース１１にカード付カード型情報記録媒体１を入れる状態を示しており、また図７にあっては、９枚のトレーディングカードを配列して収納するフォルダー１２を、複数枚のカード付カード型情報記録媒体１を管理収納するために用いた状態を示していて、カード付カード型情報記録媒体１がトレーディングカードと同じ大きさであることから、前記フォルダー１２における収納部１３それぞれにカード付カード型情報記録媒体１を入れることができ、カード付カード型情報記録媒体用として専用の収納用具を作成する必要はない。図７の例ではカード３の面１０それぞれに装飾が施されている。
勿論、カード付カード型情報記録媒体が名刺サイズのものであってもよく、この場合にも名刺の収納管理用などとして既に存在する文房具用品や事務用品が、カード付カード型情報記録媒体の収納用具として利用することができる。
【００１４】
上記カード付カード型情報記録媒体１のカード型情報記録媒体２をドライブ装置にセットする際には、カード３を分離すればよく手間の要するものではない。また、カード３が重ね合わされた状態のままドライブ装置にセットしようとした場合でも、カード３が重ね合わされていることが容易に分かる。
即ち、ドライブ装置へのセット時において、ドライブ装置側の支持機構をドライブ孔に嵌め入れるタイプのものであれば、ドライブ孔自体がカード３により覆われていることから、カード３の存在に気が付くことになる。そして、ＣＤ−ＲＯＭなどのドーナツ場の情報記録媒体をトレイに乗せ置くタイプのものであれば、トレイ側に形成されているシングルＣＤ配置用の凹所形状にカード３の平滑な表面形状が対応せず、よってカード型情報記録媒体が浮いた状態となってカード３の存在に気付くことになる。このように本カード付カード型情報記録媒体は、カード型情報記録媒体の利用可能なドライブ装置のいずれのタイプにおいても、情報記録部が覆われた状態ではセットできないように設けられている。
【図面の簡単な説明】
【００１５】
【図１】本発明に係るカード付カード型情報記録媒体の一例を示すもので、カード型情報記録媒体とカードとを分離状態で示す説明図である。
【図２】本発明の一例のカード型情報記録媒体とカードとの重ね合わせを分離状態の断面で示す説明図である。
【図３】第二の例を示すもので、（イ）はカードの対向面を示す説明図、（ロ）はカード型情報記録媒体とカードとの重ね合わせを分離状態の断面で示す説明図である。
【図４】第三の例を示すもので、（イ）はカードの対向面を示す説明図、（ロ）はカード型情報記録媒体とカードとの重ね合わせを分離状態の断面で示す説明図である。
【図５】第四の例を示すもので、（イ）はカードの対向面を示す説明図、（ロ）はカード型情報記録媒体とカードとの重ね合わせを分離状態の断面で示す説明図である。
【図６】一枚のカード付カード型情報記録媒体の収納形態の例を示す説明図である。
【図７】複数枚のカード付カード型情報記録媒体の収納形態の例を示す説明図である。
【符号の説明】
【００１６】
１…カード付カード型情報記録媒体
２…カード型情報記録媒体
３…カード
４…情報記録部
５…ドライブ孔
７…貼着手段
【図１】
2005056576.tif 000003
【図２】
2005056576.tif 000004
【図３】
2005056576.tif 000005
【図４】
2005056576.tif 000006
【図５】
2005056576.tif 000007
【図６】
2005056576.tif 000008
【図７】
2005056576.tif 000009